【手続補正書】
【提出日】平成20年8月27日(2008.8.27)
【手続補正１】
【補正対象書類名】明細書
【補正対象項目名】特許請求の範囲
【補正方法】変更
【補正の内容】
【特許請求の範囲】
【請求項１】
各ノズルが溶融物溝と溶融物溝内を可動で金型ゲートを開閉するバルブピンとを有する第１射出ノズル列と、
各ノズルが溶融物溝と溶融物溝内を可動で金型ゲートを開閉するバルブピンとを有する第２射出ノズル列と、
前記第１射出ノズル列と前記第２射出ノズル列との間に設けられノズル列に流体連通する溶融物分岐マニホールドと、
少なくとも１個のアクチュエーターとアクチュエーターによって駆動され第１射出ノズル列のすべてのバルブピンとリンクしてバルブピンを結合して動かす共通リンケージ要素とを備え第１射出ノズル列のバルブピンを変位させる第１作動装置と、
少なくとも１個のアクチュエーターとアクチュエーターによって駆動され第２射出ノズル列のすべてのバルブピンとリンクしてバルブピンを結合して動かす共通リンケージ要素とを備え第２射出ノズル列のバルブピンを変位させる第２作動装置と、を備え、
第１作動機構および第２作動機構は、独立して作動可能であることを特徴とする射出成形装置。
【請求項２】
第１射出ノズル列のアクチュエーターと第２射出ノズル列のアクチュエーターが、互いに反対方向に動いて射出ノズルのゲートを閉じることを特徴とする請求項１記載の射出成形装置。
【請求項３】
各バルブピンが、ノズルのゲートと隣接した前方端部と、この前方端部と反対側の後方端部とを有し、各射出ノズル列の共通リンケージ要素が、バルブピンの後方端部に係合していることを特徴とする請求項２記載の射出成形装置。
【請求項４】
各共通リンケージ要素が、射出ノズル列のバルブピンの動く方向に往復するように案内されるヨーク板を構成することを特徴とする請求項３記載の射出成形装置。
【請求項５】
各ヨーク板が、射出ノズル列のバルブピンの動きの方向に延びる少なくとも２つのガイド部材によって案内されることを特徴とする請求項４記載の射出成形装置。
【請求項６】
各共通リンケージ要素が、射出ノズル列のバルブピンの動く方向に往復するように案内されるヨーク板を構成することを特徴とする請求項１記載の射出成形装置。
【請求項７】
各ヨーク板が、射出ノズル列のバルブピンの動く方向に延びる少なくとも２つのガイド部材によって案内されることを特徴とする請求項６記載の射出成形装置。
【請求項８】
各バルブピンが、ノズルのゲートと隣接した前方端部と、この前方端部と反対側の後方端部とを有し、各射出ノズル列の共通リンケージ要素が、バルブピンの後方端部に係合していることを特徴とする請求項４記載の射出成形装置。
【請求項９】
第１射出ノズル列のアクチュエーターと第２射出ノズル列のアクチュエーターが、反対方向に動いて射出ノズルのゲートを閉じることを特徴とする請求項４記載の射出成形装置。
【請求項１０】
各ガイド部材が、ヨーク板の孔と滑動可能に係合する固定ピンを有することを特徴とする請求項５記載の射出成形装置。
【請求項１１】
各固定ピンと孔との境界面が、低摩擦面を有することを特徴とする請求項１０載の射出成形装置。
【請求項１２】
中央に位置された１個のアクチュエーターが、各ヨーク板を駆動することを特徴とする請求項４記載の射出成形装置。
【請求項１３】
対称に位置された２個のアクチュエーターが、各ヨーク板を駆動することを特徴とする請求項４記載の射出成形装置。
【請求項１４】
各共通リンケージ要素を駆動する複数のアクチュエーターを備え、これらアクチュエーターが、これらアクチュエーターが作動する射出ノズルの間に位置することを特徴とする請求項１記載の射出成形装置。
【請求項１５】
少なくとも１個の射出ノズルが、複数の溶融物溝と複数のバルブピンとを有することを特徴とする請求項１記載の射出成形装置。
【請求項１６】
複数の射出ノズルが、１個の金型キャビティと連通することを特徴とする請求項１記載の射出成形装置。
【請求項１７】
少なくとも１個の射出ノズルが、複数の金型キャビティと連通することを特徴とする請求項１記載の射出成形装置。
【請求項１８】
射出ノズルが、種々のタイプとサイズの金型キャビティと連通し、種々の形状とサイズの品を成形することを特徴とする請求項１記載の射出成形装置。
【請求項１９】
複数の溶融物分岐マニホールドが別々に設けられ、グループ分けされた射出ノズルがそのグループ毎に別々に設けられた溶融物分岐マニホールドの１つと連通することを特徴とする請求項１記載の射出成形装置。
【請求項２０】
各ノズルが、溶融物溝とこの溶融物溝内で可動のバルブピンとを有し、各バルブピンが、被駆動部分と金型ゲートを通る溶融物の流れを制御する先端部とを有する射出ノズル列と、
射出ノズル列と流体連通する溶融物分岐マニホールドと、
少なくとも１個のアクチュエーターと、このアクチュエーターによって駆動され射出ノズル列のすべてのバルブピンの被駆動部分とリンクしてバルブピンを結合して動かす共通リンケージ要素とを備え、少なくとも１個のアクチュエーターが、共通リンケージ要素とバルブピンの先端部との間に位置されている射出ノズル列のバルブピンを変位させる作動装置と、を備えたことを特徴とする射出成形装置。
【請求項２１】
共通リンケージ要素を駆動する複数のアクチュエーターを備え、これらのアクチュエーターが、アクチュエーターが作動する射出ノズルの間に位置することを特徴とする請求項２０記載の射出成形装置。
【請求項２２】
少なくとも１個のアクチュエーターが、射出ノズルの間で中央に位置されていることを特徴とする請求項２０記載の射出成形装置。
【請求項２３】
各ノズルが、溶融物溝とこの溶融物溝内で可動のバルブピンとを有し、各バルブピンが、被駆動部分と金型ゲートを通る溶融物の流れを制御する先端部とを有する射出ノズル列と、
射出ノズル列と流体連通する溶融物分岐マニホールドと、
少なくとも１個のアクチュエーターと、このアクチュエーターによって駆動され射出ノズル列のすべてのバルブピンの被駆動部分とリンクしてバルブピンを結合して動かす共通リンケージ要素とを備え、少なくとも１個のアクチュエーターが、溶融物分岐マニホールドとバルブピンの先端部との間に位置されている射出ノズル列のバルブピンを変位させる作動装置と、を備えたことを特徴とする射出成形装置。
【請求項２４】
共通リンケージ要素が、溶融物分岐マニホールドとバルブピンの先端部との間に位置されていることを特徴とする請求項２３記載の射出成形装置。
【請求項２５】
溶融物入口と、一方の側に設けられた複数の第１溶融物出口と、他方の側に設けられた複数の第２溶融物出口とを有する射出マニホールドと、
前記複数の第１溶融物出口に連通するとともに、第１金型板に位置する複数の第１金型キャビティに向かい、少なくとも一つが内部に複数の可動のバルブピンを含む複数の第１ホットランナーノズルと、
前記複数の第２溶融物出口に連通するとともに、第２金型板に位置する複数の第２金型キャビティに向かい、少なくとも一つが内部に複数のバルブピンを含む複数の第２ホットランナーノズルと、
前記複数の第１ホットランナーノズルのうちの前記少なくとも一つのノズル内に設けられた複数の可動のバルブピンに連結された第１アクチュエーターと、
前記複数の第２ホットランナーノズルのうちの前記少なくとも一つのノズル内に設けられた複数の可動のバルブピンに連結された第２アクチュエーターと、を備え、
射出マニホールドは、前記第１アクチュエーターと前記第２アクチュエーターとの間に位置していることを特徴とするスタック射出成形装置。
【請求項２６】
前記第１アクチュエーターおよび前記第２アクチュエーターは、ピストンからなることを特徴とする請求項２５に記載のスタック射出成形装置。
【請求項２７】
前記第１アクチュエーターおよび前記第２アクチュエーターは、前記複数の第１のバルブピンおよび前記複数の第２のバルブピンを独立して動かすことを特徴とする請求項２５に記載のスタック射出成形装置。
【請求項２８】
第２金型板が可動であることを特徴とする請求項２５に記載のスタック射出成形装置。